(57)【要約】【課題】複数の拠点にそれぞれ設置されているカメラの中から気象情報に応じて容易にカメラを特定してその画像を確認することが可能なカメラシステムの提供。【解決手段】気象に関して提供される気象情報であり、対象地域に関する情報を含む気象情報を取得する気象情報取得手段２８と、複数の拠点にそれぞれ設置されたカメラ２と、カメラ２が設置されている各拠点の場所に関する情報を記憶するカメラ設置情報記憶手段２３と、カメラ２のそれぞれにより撮影された画像を動画像として記憶する画像データ記憶手段２１と、気象情報取得手段２８により取得した気象情報に基づいて、対象地域に設置されているカメラ２を、カメラ設置情報記憶手段２３に記憶されたカメラ２が設置されている各拠点の場所に関する情報から特定するカメラ特定手段２９と、カメラ特定手段２９により特定されたカメラ２の動画像を提供する動画像提供手段２２とを有する。【選択図】図２
2019205033.tif 000002
【特許請求の範囲】
【請求項１】
気象に関して提供される気象情報であり、対象となる地域（以下、「対象地域」と称す。）に関する情報を含む気象情報を取得する気象情報取得手段と、
複数の拠点にそれぞれ設置されたカメラと、
前記カメラが設置されている各拠点の場所に関する情報を記憶するカメラ設置情報記憶手段と、
前記カメラのそれぞれにより撮影された画像を動画像として記憶する画像データ記憶手段と、
前記気象情報取得手段により取得した前記気象情報に基づいて、前記対象地域に設置されているカメラを、前記カメラ設置情報記憶手段に記憶された前記カメラが設置されている各拠点の場所に関する情報から特定するカメラ特定手段と、
前記カメラ特定手段により特定されたカメラの動画像を前記画像データ記憶手段から取得して提供する動画像提供手段と
を有するカメラシステム。
【請求項２】
前記カメラが設置されている各拠点を地図上に表示した画像を提供するカメラ拠点位置提供手段を有する請求項１記載のカメラシステム。
【請求項３】
前記気象情報取得手段により取得した前記気象情報に基づいて、前記気象情報を地図上の前記対象地域に重ねて表示した画像を提供する気象情報提供手段を有する請求項１または２に記載のカメラシステム。
【請求項４】
前記画像データ記憶手段は、さらに前記カメラによりそれぞれ撮影された画像をサムネイル画像として記憶するものであり、
さらに、
前記カメラ特定手段により特定された前記対象地域に設置されているカメラに対応するサムネイル画像を前記画像データ記憶手段から取得して一覧表示した画像を提供するサムネイル画像提供手段と、
前記サムネイル画像提供手段により前記サムネイル画像が一覧表示されたカメラのうち選択されたカメラに対応する動画像を前記画像データ記憶手段から取得して提供する動画像提供手段と
を有する請求項１から３のいずれか１項に記載のカメラシステム。
【請求項５】
前記画像データ記憶手段に記憶される動画像は、前記カメラのそれぞれにより撮影された静止画像から生成された動画像である請求項１から４のいずれか１項に記載のカメラシステム。
【発明の詳細な説明】
【技術分野】
【０００１】
本発明は、複数の拠点に多数設置されるカメラの画像を表示するカメラシステムに関し、より詳しくは気象情報に応じてカメラの画像を表示することが可能なカメラシステムに関する。
【背景技術】
【０００２】
本出願人は、連続した複数フレーム画像を伝送して動画像を合成する際、ぶれや残像の発生を防止しつつ伝送量を抑えることを可能にした画像伝送装置を開発している（特許文献１参照。）。この画像伝送装置によれば、少ない伝送量で高品質な動画像を得ることができ、低コストで複数の拠点に多数のカメラを設置することが可能であり、防犯や監視等を目的としたカメラの普及がより一層進むものと思われる。
【先行技術文献】
【特許文献】
【０００３】
【特許文献１】特許第６０４９０２４号公報
【発明の概要】
【発明が解決しようとする課題】
【０００４】
一方で、複数の拠点に多数のカメラが設置されると、それらのカメラの管理が困難となる。すなわち、全国各地へ多数のカメラの設置が進むに連れて、全国各地に点在する多数のカメラの中から特定のカメラを指定してその画像を確認することが難しくなるという問題が発生する。そのため、全国各地へ多数のカメラの設置が進んだとしても、そのカメラ資源が十分に活用されない可能性がある。
【０００５】
そこで、本発明においては、複数の拠点にそれぞれ設置されているカメラの中から気象情報に応じて容易にカメラを特定してその画像を確認することが可能なカメラシステムを提供することを目的とする。
【課題を解決するための手段】
【０００６】
本発明のカメラシステムは、気象に関して提供される気象情報であり、対象となる地域（以下、「対象地域」と称す。）に関する情報を含む気象情報を取得する気象情報取得手段と、複数の拠点にそれぞれ設置されたカメラと、カメラが設置されている各拠点の場所に関する情報を記憶するカメラ設置情報記憶手段と、カメラのそれぞれにより撮影された画像を動画像として記憶する画像データ記憶手段と、気象情報取得手段により取得した気象情報に基づいて、対象地域に設置されているカメラを、カメラ設置情報記憶手段に記憶されたカメラが設置されている各拠点の場所に関する情報から特定するカメラ特定手段と、カメラ特定手段により特定されたカメラの動画像を画像データ記憶手段から取得して提供する動画像提供手段とを有するものである。
【０００７】
本発明のカメラシステムによれば、対象地域に関する情報を含む気象情報を取得して、この取得した気象情報に基づいて、対象地域に設定されているカメラが特定され、この特定されたカメラの動画像が提供される。
【０００８】
また、本発明のカメラシステムは、カメラが設置されている各拠点を地図上に表示した画像を提供するカメラ拠点位置提供手段を有するものであることが望ましい。これにより、前述のように気象情報に基づいて対象地域に設置されているカメラの動画像が提供されるとともに、カメラが設置されている各拠点が地図上に表示された画像が提供される。
【０００９】
また、本発明のカメラシステムは、気象情報取得手段により取得した気象情報に基づいて、気象情報を地図上の対象地域に重ねて表示した画像を提供する気象情報提供手段を有するものであることが望ましい。これにより、前述のように気象情報に基づいて対象地域に設置されているカメラの動画像が提供されるとともに、気象情報が地図上の対象地域に重ねて表示された画像が提供される。
【００１０】
また、画像データ記憶手段が、さらにカメラによりそれぞれ撮影された画像をサムネイル画像として記憶するものであり、さらに、本発明のカメラシステムは、カメラ特定手段により特定された対象地域に設置されているカメラに対応するサムネイル画像を画像データ記憶手段から取得して一覧表示した画像を提供するサムネイル画像提供手段と、サムネイル画像提供手段によりサムネイル画像が一覧表示されたカメラのうち選択されたカメラに対応する動画像を画像データ記憶手段から取得して提供する動画像提供手段とを有するものであることが望ましい。これにより、気象情報に基づいて特定された対象地域に設置されているカメラに対応するサムネイル画像が一覧表示され、このサムネイル画像が一覧表示されたカメラからカメラを選択すると、その選択されたカメラに対応する動画像が提供される。
【発明の効果】
【００１１】
（１）気象に関して提供される気象情報であり、対象地域に関する情報を含む気象情報を取得する気象情報取得手段と、複数の拠点にそれぞれ設置されたカメラと、カメラが設置されている各拠点の場所に関する情報を記憶するカメラ設置情報記憶手段と、カメラのそれぞれにより撮影された画像を動画像として記憶する画像データ記憶手段と、気象情報取得手段により取得した気象情報に基づいて、対象地域に設置されているカメラを、カメラ設置情報記憶手段に記憶されたカメラが設置されている各拠点の場所に関する情報から特定するカメラ特定手段と、カメラ特定手段により特定されたカメラの動画像を画像データ記憶手段から取得して提供する動画像提供手段とを有する構成により、気象情報に基づいて対象地域に設置されているカメラの動画像が提供されるので、複数の拠点にそれぞれ設置されているカメラの中から気象情報の対象地域のカメラを容易に特定してその動画像を確認することが可能となる。
【００１２】
（２）カメラが設置されている各拠点を地図上に表示した画像を提供するカメラ拠点位置提供手段を有する構成により、前述のように気象情報に基づいて動画像が提供されるカメラが設置されている各拠点を地図上で容易に確認することが可能となる。
【００１３】
（３）気象情報取得手段により取得した気象情報に基づいて、気象情報を地図上の対象地域に重ねて表示した画像を提供する気象情報提供手段を有する構成により、気象情報に基づいて対象地域の動画像が提供されるだけでなく、対象地域の気象情報を地図上で容易に確認することが可能となる。
【００１４】
（４）画像データ記憶手段が、さらにカメラによりそれぞれ撮影された画像をサムネイル画像として記憶するものであり、さらに、本発明のカメラシステムは、カメラ特定手段により特定された対象地域に設置されているカメラに対応するサムネイル画像を画像データ記憶手段から取得して一覧表示した画像を提供するサムネイル画像提供手段と、サムネイル画像提供手段によりサムネイル画像が一覧表示されたカメラのうち選択されたカメラに対応する動画像を画像データ記憶手段から取得して提供する動画像提供手段とを有する構成により、気象情報に基づいて特定された対象地域に設置されているカメラに対応するサムネイル画像からカメラを選択すると、その選択されたカメラに対応する動画像が提供されるので、気象情報に基づいて特定された対象地域にそれぞれ設置されているカメラの中から容易にカメラを特定してその動画像を容易に確認することが可能となる。
【図面の簡単な説明】
【００１５】
【図１】本発明の実施の形態におけるカメラシステムの概略構成図である。
【図２】図１のカメラシステムのブロック図である。
【図３】複数のカメラが設置されている各拠点を地図上に表示した画像の例を示す図である。
【図４】動画像表示画面の例を示す図である。
【図５】気象情報を地図上の対象地域に重ねて表示した画像の例を示す図である。
【図６】図５に示す状態からズームインした状態を示す図である。
【図７】図６に示す状態からさらにズームインした状態を示す図である。
【図８】図７に示すサムネイル画像６２を選択した際に表示される動画像表示画面の例を示す図である。
【図９】過去映像閲覧画面の例を示す図である。
【図１０】市区町村単位で気象情報を地図上に重ねて表示した例を示す図である。
【図１１】警報等区分選択欄および詳細選択欄の例を示す図である。
【図１２】気象情報を文字により表示した例を示す図である。
【発明を実施するための形態】
【００１６】
図１は本発明の実施の形態におけるカメラシステムの概略構成図、図２は図１のカメラシステムのブロック図である。
【００１７】
図１において、本発明の実施の形態におけるカメラシステム１は、複数の拠点にそれぞれ設置されるカメラ２と、各拠点に設置され、各拠点のカメラ２がそれぞれ接続される拠点サーバ３と、拠点サーバ３と電気通信回線Ｎにより接続されるクラウドサーバ４とから構成される。カメラ２は、所定の時間間隔（例えば、１／１２０秒〜１秒間隔）で静止画像を撮像することにより、連続した複数フレームの画像を取得する撮像装置である。なお、各拠点に設置されるカメラ２は、一つであっても複数であっても良い。
【００１８】
図２に示すように、拠点サーバ３は、カメラ２により順次取得される連続した複数フレームの各フレームの画像を一時記憶する記憶手段１０と、所定のタイミングごとに基準となるフレーム（以下、「基準フレーム」と称す。）の画像のデータ（以下、「基準画像データ」と称す。）をクラウドサーバ４に伝送する基準画像伝送手段１１と、複数フレームの基準フレームの後の各フレームから抽出する領域（以下、「抽出領域」と称す。）を算出する抽出領域算出手段１２と、各フレームの画像から各フレームの抽出領域の画像データを順次抽出してクラウドサーバ４に伝送する抽出画像伝送手段１３とを有する。
【００１９】
基準画像伝送手段１１は、カメラ２により順次取得される連続した複数フレームの画像から所定のタイミングごとに基準となるフレーム（基準フレーム）の画像のデータ（基準画像データ）をクラウドサーバに伝送する。基準フレームは、予め設定された時間（例えば、３０秒間隔や１分間隔など）や、予め設定されたフレーム数等のタイミングごとに決定される。
【００２０】
抽出領域算出手段１２は、カメラ２により順次取得される連続した複数フレームの画像から背景とする画像（以下、「背景画像」と称す。）を得て、カメラ２により順次取得される連続した複数フレームの基準フレームの後の各フレームについて、順次、各フレームの画像と背景画像との間で差が発生している領域を取り囲む第１領域と、各フレームの直前のフレームの画像と背景画像との間で差が発生している領域を取り囲む第２領域との両方を取り囲む第３領域を算出する。第３領域が、抽出画像伝送手段１３により抽出して伝送する領域（抽出領域）である。
【００２１】
背景画像は、各フレームの直前の複数フレームの画像を平均化したものを用いる。例えば、あるフレームについて背景画像との差が発生している領域を算出する場合、抽出領域算出手段１２は、このフレームの直前の１００フレームの画像を平均化したものを背景画像とする。そして、この背景画像とこのフレームとの差分を取る。
【００２２】
抽出領域算出手段１２は、このような差分処理を基準フレームの後の各フレームについて行い、各フレームの画像と背景画像との間で差が発生している第１領域と、各フレームの直前のフレームの画像と背景画像との間で差が発生している第２領域との両方を取り囲む第３領域（抽出領域）を算出する。
【００２３】
抽出画像伝送手段１３は、各フレームの画像から抽出領域算出手段１２により算出された各フレームの第３領域の画像データを順次抽出してクラウドサーバに伝送する。また、抽出画像伝送手段１３は、この第３領域の画像データに加えて抽出領域（座標（Ｘ，Ｙ）、幅Ｗおよび高さＨ）をクラウドサーバ４に伝送する。
【００２４】
拠点サーバ３は、汎用サーバ、パーソナルコンピュータ、マイクロコンピュータ、ＰＤＡ（個人情報端末）、ポケットコンピュータ、スマートフォン、フィーチャーフォン（携帯電話機）や携帯型ゲーム機等の様々なコンピュータ上で、このコンピュータを上記各手段１１〜１３として機能させるためのプログラムを実行することにより実現される。
【００２５】
一方、クラウドサーバ４は、拠点サーバ３から伝送された基準画像データおよび各フレームの第３領域の画像データから動画像を合成する画像合成手段２０と、画像合成手段２０により合成された動画像を記憶する画像データ記憶手段２１と、電気通信回線Ｎを介して接続するコンピュータ５（図１参照。）に対して画像データ記憶手段２１に記憶した動画像を提供する動画像提供手段２２とを有する。コンピュータ５は、電気通信回線Ｎを介してクラウドサーバ４に接続可能なパーソナルコンピュータ、マイクロコンピュータ、ＰＤＡ（個人情報端末）、ポケットコンピュータ、スマートフォン、フィーチャーフォン（携帯電話機）や携帯型ゲーム機等である。
【００２６】
画像合成手段２０は、拠点サーバ３から伝送された基準画像データおよび各フレームの第３領域の画像データから動画像を合成し、合成された動画像を画像データ記憶手段２１に記憶する。本実施形態においては、画像合成手段２０は、各フレームの抽出領域情報に基づいて基準画像データの一部を、順次、各フレームの第３領域の画像データに置き換えることにより動画像を合成する。
【００２７】
例えば、画像合成手段２０は、基準フレームの画像に対し、次のフレームの領域抽出情報に基づき、座標（Ｘ，Ｙ）から幅Ｗおよび高さＨの一部の画像データを、そのフレームの第３領域の画像データに置き換え、基準フレームの次のフレームの画像データとする。そして、画像合成手段２０は、さらに次のフレームについても、順次、直前のフレームの画像に対し、フレームの抽出領域情報に基づいてフレームの第３領域の画像データに置き換えていくことにより、動画像を合成する。
【００２８】
この合成された動画像は、カメラ２のそれぞれにより撮影された静止画像から生成された動画像として画像データ記憶手段２１に記憶される。また、画像データ記憶手段２１には、カメラ２によりそれぞれ撮影された画像のサムネイル画像も予め作成され、記憶される。
【００２９】
動画像提供手段２２は、電気通信回線Ｎを介して接続するコンピュータ５の要求に応じて画像データ記憶手段２１に記憶した動画像を提供する。動画像提供手段２２は、コンピュータ５から拠点ごとにカメラ２を指定して動画像が要求されると、要求された動画像を画像データ記憶手段２１から取得し、電気通信回線Ｎを介してコンピュータ５に提供する。なお、コンピュータ５から拠点ごとにカメラ２を指定して動画像を要求する処理については後述する。
【００３０】
また、クラウドサーバ４は、カメラ２が設置されている各拠点の場所に関する情報を記憶するカメラ設置情報記憶手段２３と、カメラ２が設置されている各拠点を地域ごとに区分するための地域情報を記憶する地域情報記憶手段２４と、地図上にカメラ２が設置されている各拠点等を表示した画像を提供するカメラ拠点位置提供手段２６と、各カメラ２に対応するサムネイル画像を提供するサムネイル画像提供手段２７とを有する。
【００３１】
カメラ設置情報記憶手段２３に記憶される各拠点の場所に関する情報は、各拠点の名称、経緯度および住所等の各拠点の場所を特定可能な情報である。地域情報記憶手段２４に記憶される地域情報は、各拠点を地域ごとに区分するための名称（市区町村等）およびその範囲を示す情報（経緯度の集合等）である。
【００３２】
カメラ拠点位置提供手段２６は、カメラ設置情報記憶手段２３に記憶されたカメラ２が設置されている各拠点の場所に関する情報に基づいて、カメラ２が設置されている各拠点を地図上に表示した画像をコンピュータ５へ提供する。図３はカメラ２が設置されている各拠点を地図上に表示した画像の例を示している。図３に示すように、この画像６０には、カメラ２が設置されている各拠点の位置を示すアイコン５０とその各拠点の名称５１とが地図６１上に表示される。
【００３３】
また、カメラ拠点位置提供手段２６は、コンピュータ５からズームインの指示がなされ、所定の地域の区分まで細分化された場合に、その指示に基づいて地図６１のズームアウトまたはズームインを行うとともに、その地域に属する各拠点のアイコン５０および名称５１を地図６１上に表示した画像６０をコンピュータ５へ提供する。
【００３４】
サムネイル画像提供手段２７は、カメラ拠点位置提供手段２６により地図６１上にアイコン５０および名称５１が表示された各拠点のうち、アイコン５０または名称５１のクリック等により選択された拠点に設置されているカメラ２に対応するサムネイル画像を画像データ記憶手段２１から取得して一覧表示した画像をコンピュータ５へ提供する。図３に示すように、サムネイル画像提供手段２７は、選択された拠点に設置されているカメラ２に対応するサムネイル画像６２を表示する。なお、サムネイル画像提供手段２７は、選択された拠点に複数のカメラ２が設置されている場合には、複数のカメラ２にそれぞれ対応するサムネイル画像を表示する。また、サムネイル画像提供手段２７は、図３に示すように、その選択された拠点の名称６３および住所６４も表示する。
【００３５】
前述の動画像提供手段２２は、このサムネイル画像提供手段２７によりサムネイル画像が一覧表示されたカメラのうち選択されたカメラに対応する動画像を画像データ記憶手段２１から取得して提供するものである。図３に示すように表示されているサムネイル画像がクリック等により選択されると、動画像提供手段２２はその選択されたサムネイル画像により選択されたカメラに対応する動画像を画像データ記憶手段２１から取得してコンピュータ５へ提供する。なお、動画像提供手段２２は複数のサムネイル画像が表示されている場合には、その複数のサムネイル画像の中からクリック等により選択された一つのサムネイル画像に対応するカメラの動画像を提供する。
【００３６】
図４は図３に示すサムネイル画像６２を選択した際に表示される動画像表示画面の例を示している。図４に示すように、この動画像表示画面にはサムネイル画像６２により選択されたカメラに対応する動画像７０が表示される。なお、動画像提供手段２２では、ライブ動画像だけでなく、日時を指定することにより、そのカメラに対応する過去の動画像を画像データ記憶手段２１から取得してコンピュータ５へ提供することもできる。
【００３７】
また、クラウドサーバ４は、気象に関して提供される気象情報であり、対象地域に関する情報を含む気象情報を取得する気象情報取得手段２８と、気象情報取得手段２８により取得した気象情報に基づいて対象地域に設置されているカメラを特定するカメラ特定手段２９と、気象情報取得手段２８により取得した気象情報を地図上に重ねて表示した画像を提供する気象情報提供手段３０とを有する。
【００３８】
ここで、気象情報とは、暴風、暴風雪、大雨、大雪、雷、乾燥、濃霧、霜、なだれ、低温、着雪、着氷、融雪、山崩れ、地滑り、高潮、波浪、浸水、洪水など気象等に関する特別警報、警報や注意報等に関する情報であり、対象となる地域（対象地域）に関する情報を含むものである。気象情報は気象庁などの気象情報提供機関から随時提供されており、気象情報取得手段２８はこの気象情報提供機関から提供される気象情報を定期的にまたは随時取得する。
【００３９】
カメラ特定手段２９は、気象情報取得手段２８により取得した気象情報に基づいて、対象地域に設置されているカメラ２を、カメラ設置情報記憶手段２３に記憶された各カメラ２が設置されている各拠点の場所に関する情報から特定するものである。例えば、気象情報が「○○地方に暴風警報発令」というものであった場合、○○地方に設置されているカメラ２が特定される。
【００４０】
前述の動画像提供手段２２は、このカメラ特定手段２９によりカメラ２が特定された場合、その特定されたカメラ２の動画像を画像データ記憶手段２１から取得してコンピュータ５へ提供する。また、特定された対象地域に設置されているカメラ２が複数存在する場合、サムネイル画像提供手段２７により、この特定された対象地域に設置されているカメラ２に対応するサムネイル画像を画像データ記憶手段２１から取得して一覧表示した画像を提供し、動画像提供手段２２が、このサムネイル画像提供手段２７によりサムネイル画像が一覧表示されたカメラのうち選択されたカメラに対応する動画像を画像データ記憶手段２１から取得して提供する構成とすることもできる。
【００４１】
気象情報提供手段３０は、気象情報取得手段２８により取得した気象情報に基づいて、気象情報を地図上の対象地域に重ねて表示した画像を提供する。図５は気象情報を地図上の対象地域に重ねて表示した画像の例を示す図である。図５に示す例では、気象情報として特別警報、警報および注意報が発令されている対象地域を着色（特別警報は紫色、警報は赤色、注意報は黄色など）して地図６１上に重ねた画像６０を表示している。また、図５に示す画像には、カメラ設置情報記憶手段２３に記憶された複数のカメラ２が設置されている各拠点の場所に関する情報に基づいて、カメラ拠点位置提供手段２６により複数のカメラ２が設置されている各拠点の数が地域ごとに集計され、地図上に地域名３１および地域ごとの拠点数３２として表示されている。
【００４２】
また、カメラ拠点位置提供手段２６は、コンピュータ５からズームアウトまたはズームインの指示がなされると、その指示に基づいて地図６１のズームアウトまたはズームインを行うとともに、拠点数を集計する地域の区分を大別化または細分化し、その地域の区分ごとに各拠点の数を再集計して地図６１上に表示した画像６０を提供する。このとき、気象情報提供手段３０は、前述と同様に、気象情報として特別警報、警報および注意報が発令されている対象地域を着色して地図６１上に重ねて表示する。図６は図５に示す状態からズームインした地図上に基礎自治体ごとに拠点の数を集計して表示した画像の例を示している。
【００４３】
また、図７は図６に示す状態からさらにズームインした状態でカメラ２が設置されている拠点のアイコン５０または名称５１を選択し、この選択された拠点に設置されているカメラ２に対応するサムネイル画像６２、拠点の名称６３および住所６４が表示された例を示している。図８は図７に示すサムネイル画像６２を選択した際に表示される動画像表示画面の例を示している。
【００４４】
上記構成のクラウドサーバ４は、クラウド環境に構築されたサーバ上で、そのサーバを上記各手段として機能させるためのプログラムを実行することにより実現される。
【００４５】
上記構成のカメラシステム１によれば、図３に示すようにカメラ２が設置されている各拠点が地図６１上に表示された画像６０から拠点を選択することで、その選択された拠点に設置されているカメラ２に対応するサムネイル画像６２が一覧表示され、このサムネイル画像が一覧表示されたカメラ２を選択すると、その選択されたカメラ２に対応する動画像７０がコンピュータ５に提供されるので、複数の拠点にそれぞれ設置されているカメラ２の中から容易にカメラ２を特定してその動画像７０を確認することが可能である。
【００４６】
また、このカメラシステム１では、気象情報取得手段２８により気象情報を取得した場合に、取得した気象情報に基づいて対象地域に設置されているカメラ２がカメラ特定手段２９により特定され、この特定されたカメラ２の動画像が動画像提供手段２２によりコンピュータ５へ提供されるので、警報や注意報などが発令された場合に、複数の拠点にそれぞれ設置されているカメラ２の中から気象情報の対象地域のカメラ２を容易に特定してその動画像７０を確認することが可能である。
【００４７】
また、本実施形態におけるカメラシステム１では、図３、図５〜図７に示す日時指定欄５２により過去の日時を指定し、気象情報反映ボタン５３を選択することにより、指定した日時の気象情報を地図６１上に反映させることが可能である。そして、この状態においてサムネイル画像６２を選択すると、図９に示すような過去映像閲覧画面が表示され、この過去映像閲覧画面から日時を選択すると、選択した日時の過去の動画像７０が表示される。
【００４８】
また、このカメラシステム１では、カメラ２が設置されている各拠点を地図６１上に表示した画像６０がカメラ拠点位置提供手段２６によりコンピュータ５へ提供されるので、前述のように気象情報に基づいて動画像７０が提供されるカメラ２が設置されている各拠点を地図６１上で容易に確認することが可能である。
【００４９】
また、このカメラシステム１では、気象情報取得手段２８により取得した気象情報に基づいて、図５〜図７に示すように、気象情報が地図６１上の対象地域に重ねて表示した画像６０が気象情報提供手段３０によりコンピュータ５へ提供されるので、気象情報の対象地域に設置されているカメラ２の動画像７０が提供されるだけでなく、対象地域の気象情報を地図６１上で容易に確認することが可能である。なお、図５〜図７に示す例では、都道府県単位で気象情報を地図６１上に重ねた画像６０を表示しているが、図１０に示すように市区町村単位で気象情報を地図６１上に重ねた画像６０を表示する構成とすることも可能である。
【００５０】
また、このカメラシステム１では、気象情報を地図６１上に重ねて表示する際、図１１に示す警報等区分選択欄５４および詳細選択欄５５により選択した特別警報、警報や注意報等のみを表示することが可能となっている。例えば、警報等区分選択欄５４では、特別警報、警報または注意報をプルダウンメニューから選択することが可能である。警報等区分選択欄５４において特別警報を選択した場合、詳細選択欄５５では、暴風雪特別警報、大雨特別警報、暴風特別警報、大雪特別警報、波浪特別警報や高潮特別警報等をプルダウンメニューから選択することが可能となっている。警報等区分選択欄５４において警報を選択した場合、詳細選択欄５５では、暴風雪警報、大雨警報、洪水警報、暴風警報、大雪警報、波浪警報や高潮警報等をプルダウンメニューから選択することが可能となっている。警報等区分選択欄５４において注意報を選択した場合、詳細選択欄５５では、大雨注意報、大雪注意報、風雪注意報、雷注意報、強風注意報、波浪注意報、融雪注意報、洪水注意報、高潮注意報、濃霧注意報、乾燥注意報、なだれ注意報、低温注意報、霜注意報、着氷注意報、着雪注意報やその他の注意報等をプルダウンメニューから選択することが可能となっている。これらの警報等区分選択欄５４および詳細選択欄５５により気象情報が選択されると、地図６１上には選択された気象情報のみが表示される。
【００５１】
なお、上記実施形態においては、気象情報として発令されている特別警報、警報および注意報を地図上に重ねて色分け表示する例について説明したが、図１２に示すように発令されている気象情報５６を文字で表示したり、さらに気象情報の詳細情報を文字や画像等により重ねて表示したりする構成とすることも可能である。
【００５２】
また、このカメラシステム１では、特定された対象地域に設置されているカメラ２が複数存在する場合、サムネイル画像提供手段２７により、この特定された対象地域に設置されているカメラ２に対応するサムネイル画像が一覧表示され、このサムネイル画像が一覧表示されたカメラ２からカメラ２を選択すると、その選択されたカメラ２に対応する動画像が提供されるので、気象情報に基づいて特定された対象地域にそれぞれ設置されているカメラ２の中から容易にカメラ２を特定してその動画像を容易に確認することが可能である。
【００５３】
なお、コンピュータ５については、ユーザ認証により画像データ記憶手段２１およびカメラ設置情報記憶手段２３にアクセス可能な範囲を設定することが可能である。これにより、ユーザごとに、カメラ拠点位置提供手段２６、サムネイル画像提供手段２７および動画像提供手段２２により提供する情報を制限し、アクセス可能なもののみ提供する構成とすることが可能である。
【産業上の利用可能性】
【００５４】
本発明のカメラシステムは、複数の拠点に多数設置されるカメラの画像を表示するカメラシステムとして有用であり、特に、気象情報に応じて複数の拠点にそれぞれ設置されているカメラの中から容易にカメラを特定してその画像を確認することが可能なカメラシステムとして好適である。
【符号の説明】
【００５５】
１  カメラシステム
２  カメラ
３  拠点サーバ
４  クラウドサーバ
１０  記憶手段
１１  基準画像伝送手段
１２  抽出領域算出手段
１３  抽出画像伝送手段
２０  画像合成手段
２１  画像データ記憶手段
２２  動画像提供手段
２３  カメラ設置情報記憶手段
２４  地域情報記憶手段
２６  カメラ拠点位置提供手段
２７  サムネイル画像提供手段
２８  気象情報取得手段
２９  カメラ特定手段
３０  気象情報提供手段
【図１】
2019205033.tif 000003
【図２】
2019205033.tif 000004
【図３】
2019205033.tif 000005
【図４】
2019205033.tif 000006
【図５】
2019205033.tif 000007
【図６】
2019205033.tif 000008
【図７】
2019205033.tif 000009
【図８】
2019205033.tif 000010
【図９】
2019205033.tif 000011
【図１０】
2019205033.tif 000012
【図１１】
2019205033.tif 000013
【図１２】
2019205033.tif 000014